(57)【要約】【課題】上下反転しても同一形状であり、左右両端の中央において二等分可能で廃材が出にくいという特長を生かしつつ、施工状態において風雨下に表面から下葺き材に回るおそれのある雨水を軒方向に排水可能とする。【解決手段】横長で点対称な形状を有し、左右両端（２）（３）の中央を結ぶ仮想線（４）に沿って二等分可能であり、左右両端部に、仮想線を挟んで上下両側に切欠（７）が設けられる。【選択図】　　　　　図１
2004052428.tif 000002
【特許請求の範囲】
【請求項１】
横長で点対称な形状を有し、左右両端の中央を結ぶ仮想線に沿って二等分可能であり、左右両端部に、前記仮想線を挟んで上下両側に切欠が設けられていることを特徴とする平板瓦。
【請求項２】
切欠は、縦長状で、瓦葺きにより隣り合う左右の平板瓦同士でスリット形状を形成する請求項１記載の平板瓦。
【請求項３】
上下両端部に凹所が設けられ、切欠は、この凹所の半分の形状を有する請求項１記載の平板瓦。
【発明の詳細な説明】
【０００１】
【発明の属する技術分野】
この出願の発明は、平板瓦に関するものである。さらに詳しくは、この出願の発明は、上下反転しても同一形状であり、左右両端の中央において二等分可能で廃材が出にくいという特長を生かしつつ、施工状態において風雨下に表面から下葺き材に回るおそれのある雨水を軒方向に排水可能とする平板瓦に関するものである。
【０００２】
【従来の技術】
住宅の屋根材として用いられている瓦は、屋根の外観意匠の大きな担い手であり、また、雨音を軽減し、屋根の防水性を高めるなどの機能性を備えている。その一つとして図６に示したような平板瓦（２１）が最近提案されている。
【０００３】
この平板瓦（２１）は一品種であっても軒先の納めが可能で、たとえば屋根の軒先に配設される通称スターターと呼ばれる瓦は、平板瓦（２１）をその左右両端の中央を通る仮想線（２２）に沿って二等分することにより同一形状の二枚を得ることができ、このようにして得られるスターターの上に平板瓦（２１）を一段目の瓦として配設することができる。二段目以降はそのままの平板瓦（２１）を棟側まで葺き上げ、瓦葺きすることができる。このため、平板瓦（２１）は、瓦葺きの積算を容易とし、また、建築廃材の削減に有効ともなっている。
【０００４】
このような平板瓦（２１）は、上下反転しても同一形状であるように、平面視で横長の長方形形状を有し、通常、表面部（２３）に、仮想線（２２）に対して対称となる位置に未貫通の釘穴（２４）が複数設けられている。
【０００５】
【発明が解決しようとする課題】
しかしながら、図６に示した平板瓦（２１）には次のような改善すべき課題が見出される。
【０００６】
図７は、平板瓦（２１）の施工状態を示した要部断面図であるが、葺き足を十分に取っていても、風雨下の雨水は、上下に重なり合う二枚の平板瓦（２１）の間のわずかな隙間から浸入し、下側の平板瓦（２１）の表面から棟側に越流することがある。図６に示した平板瓦（２１）は平面視で横長の長方形形状を有しているため、上記のとおりに越流した雨水は、瓦葺きにより平板瓦（２１）と下葺き材（２５）の間に形成される隙間（２６）の軒側に溜まりやすく、下葺き材（２５）の表面を伝って軒方向には流れ落ちにくい。このようにして溜まった雨水は小屋裏へと漏水し、雨漏りを生じさせ、あるいは漏水しなくとも長期にわたって滞留すると、結露の原因となったり、平板瓦（２１）に吸水され、強度低下などを招いたりする。
【０００７】
この出願の発明は、このような事情に鑑みてなされたものであり、上下反転しても同一形状であり、左右両端の中央において二等分可能で廃材が出にくいという特長を生かしつつ、施工状態において風雨下に表面から下葺き材に回るおそれのある雨水を軒方向に排水可能とする平板瓦を提供することを解決すべき課題としている。
【０００８】
【課題を解決するための手段】
この出願の発明は、以上の課題を解決するものとして、横長で点対称な形状を有し、左右両端の中央を結ぶ仮想線に沿って二等分可能であり、左右両端部に、前記仮想線を挟んで上下両側に切欠が設けられていることを特徴とする平板瓦（請求項１）を提供する。
【０００９】
またこの出願の発明は、切欠は、縦長状で、瓦葺きにより隣り合う左右の平板瓦同士でスリット形状を形成すること（請求項２）、上下両端部に凹所が設けられ、切欠は、この凹所の半分の形状を有すること（請求項３）をそれぞれ一態様として提供する。
【００１０】
以下、図面に沿ってこの出願の発明の平板瓦についてさらに詳しく説明する。
【００１１】
【発明の実施の形態】
図１は、この出願の発明の平板瓦の一実施形態を示した平面図である。
【００１２】
たとえば図１に示したように、この出願の発明の平板瓦（１）は、横長で点対称な形状を有し、左端（２）及び右端（３）の中央を結ぶ仮想線（４）に沿って二等分可能である。この出願の発明の平板瓦（１）もまた図６に示した平板瓦（２１）と同様に、上下反転しても同一形状であり、上下方向の中央において二等分可能な廃材の出にくい平板瓦となっている。
【００１３】
表面部（５）には仮想線（４）に対して対称となる位置に未貫通の釘穴（６）を複数、たとえば一定のピッチなどで設けることができる。釘穴（６）を未貫通とするのは、瓦葺きにおいて屋根面に平板瓦（１）を固定する際にすべての釘穴（６）において釘打ちされる訳ではなく、少なくとも仮想線（４）を挟んで上下いずれか側の釘穴（６）の上には次段の平板瓦（１）が重ね合わされ、釘打ちされないことがあるからである。
【００１４】
そして、この出願の発明の平板瓦（１）には、左右両端（２）（３）部に、仮想線（４）を挟んで上下両側に切欠（７）が設けられる。なお、この切欠（７）の配設によっても平板瓦（１）は点対称な形状を有する。
【００１５】
図２、図３は、それぞれ、図１に示した平板瓦の施工状態を示した要部平面図、要部断面図である。図２及び図３には、釘穴（６）及び釘が省略されているが、当然、実際には、所定箇所に釘穴（６）及び平板瓦（１）を固定する釘は存在する。
【００１６】
この出願の発明の平板瓦（１）は以上の切欠（７）を有し、この切欠（７）は施工状態において屋根の流れ方向に配置されるため、図６に示したような平面視で横長の長方形形状を有する平板瓦（２１）とは異なり、風雨下の雨水がたとえ上下に重なり合う二枚の平板瓦（１）の間のわずかな隙間から浸入し、下側の平板瓦（１）の表面から棟側に越流しても、切欠（７）から平板瓦（１）と下葺き材（２５）の間に形成される隙間（２６）を通じて雨水を図２及び図３の図中に示した矢印方向、すなわち軒方向、に下葺き材（２５）を伝わらせて排水することができる。雨水は、隙間（２６）に溜まりにくくなり、したがって、雨水の小屋裏への漏水や長期にわたっての滞留は起こりにくくなる。
【００１７】
この出願の発明の平板瓦（１）における左右両端（２）（３）部の仮想線（４）を挟んで上下両側に設けられる切欠（７）は、平板瓦（１）が点対称な形状となる限りその形状は特に制限されない。たとえば、図１及び図２に示したような縦長状で、瓦葺きにより隣り合う左右の平板瓦（１）（１）同士でスリット形状（８）を形成することのできるものが例示される。
【００１８】
また、切欠（７）は、平板瓦（１）の左右両端（２）（３）部に設けられるため、切欠（７）の形成による平板瓦（１）の強度低下の心配がない。切欠（７）を左右両端部よりも内側に設けると、切欠（７）は前述のとおり仮想線（４）を挟んで上下両側に設けられるため、切欠（７）を結ぶ直線に沿って平板瓦（１）は割れやすくなる。このような割れという懸念がこの出願の発明の平板瓦（１）にはない。しかも、切欠（７）により、たとえば図２に示したように、葺き上げ後の外観に小割感が現出し、屋根の意匠性の向上に有効ともなる。
【００１９】
そして、この出願の発明の平板瓦（１）は、横長で点対称な形状である限り細部の形状に特に制限はない。基本は、図１に示したようなほぼ平面視で長方形形状ではあるが、たとえば図４に示したように、上下両端部に凹所（９）を設けることもできる。この場合、切欠（７）は、この凹所（９）の半分の形状を有するものとすることができる。
【００２０】
もちろん、図４に示したこの出願の発明の平板瓦（１）も図１に示した平板瓦（１）と同様に、図５に示したように、風雨下の雨水がたとえ上下に重なり合う二枚の平板瓦（１）の間のわずかな隙間から浸入し、下側の平板瓦（１）の表面から棟側に越流しても、切欠（７）から図３に示したような平板瓦（１）と下葺き材（２５）の間の隙間（２６）を通じて雨水を軒方向に下葺き材を伝わらせて排水することができる。
【００２１】
また、この出願の発明の平板瓦（１）には、図１に示したように、仮想線（４）を挟んで上下に等しい幅で、釘穴（６）までの部位に防水兼位置合わせ用の防水・位置合わせ部材（１０）を設けることができる。そして、この場合、防水・位置合わせ部材（１０）の中央部は欠損させておく。これは、葺き上げ後の平板瓦（１）のスリット（７）は防水・位置合わせ部材（１０）の中央部の欠損部（１１）に位置するため、スリット（７）による雨水の排水が防水・位置合わせ部材（１０）により阻害されないようにするための配慮からである。
【００２２】
もちろん、この出願の発明は、以上の実施形態によって限定されるものではない。平板瓦及びスリットの大きさ、寸法、形状などの細部については様々な態様が可能であることはいうまでもない。
【００２３】
【発明の効果】
以上詳しく説明した通り、この出願の発明によって、上下反転しても同一形状であり、左右両端の中央において二等分可能で廃材が出にくいという平板瓦の特長を生かしながら、施工状態において風雨下に表面から下葺き材に回るおそれのある雨水が軒方向に排水可能となる。
【図面の簡単な説明】
【図１】この出願の発明の平板瓦の一実施形態を示した平面図である。
【図２】図１に示した平板瓦の施工状態を示した要部平面図である。
【図３】図１に示した平板瓦の施工状態を示した要部断面図である。
【図４】この出願の発明の平板瓦の一実施形態を示した平面図である。
【図５】図４に示した平板瓦の施工状態を示した要部平面図である。
【図６】上下反転しても同一形状であり、上下方向の中央において二等分可能な平板瓦を示した平面図である。
【図７】図６に示した平板瓦の施工状態を示した要部断面図である。
【符号の説明】
１　　平板瓦
２　　左端
３　　右端
４　　仮想線
５　　表面部
６　　釘穴
７　　切欠
８　　スリット形状
９　　凹所
１０　　防水・位置合わせ部材
１１　　欠損部
２１　　平板瓦
２２　　仮想線
２３　　表面部
２４　　釘穴
２５　　下葺き材
２６　　隙間
【図１】
2004052428.tif 000003
【図２】
2004052428.tif 000004
【図３】
2004052428.tif 000005
【図４】
2004052428.tif 000006
【図５】
2004052428.tif 000007
【図６】
2004052428.tif 000008
【図７】
2004052428.tif 000009